(57)【要約】【課題】防滑性能に優れたゴルフ靴の提供。【解決手段】ゴルフ靴の軸足用靴１０は、アウトソール２２を備えている。このアウトソール２２は、多数の突起２６を備えている。このアウトソール２２は、下記の数式を満たす。    Ｐｉ ＞ Ｐｃ ≧ Ｐｏこの数式において、ＰｉはインサイドゾーンＺｉにおける接地面の占有率であり、ＰｃはセンターゾーンＺｃにおける接地面の占有率であり、ＰｏはアウトサイドゾーンＺｏにおける接地面の占有率である。比（Ｐｉ／Ｐｃ）は、１．２以上４．０以下である。比（Ｐｃ／Ｐｏ）は、１．０以上３．０以下である。蹴足用靴は、軸足用靴１０の形状が反転した形状を有する。【選択図】図４
2011067370.tif 000002
【特許請求の範囲】
【請求項１】
下記数式を満たすアウトソールを備えており、
このアウトソールが、ベースと、このベースから突出し接地面を含む多数の突起とを有するゴルフ靴。
Ｐｉ ＞ Ｐｃ ≧ Ｐｏ
（この数式において、Ｐｉはインサイドゾーンにおける接地面の占有率であり、Ｐｃはセンターゾーンにおける接地面の占有率であり、Ｐｏはアウトサイドゾーンにおける接地面の占有率である。上記アウトソールの底面の輪郭に画かれうる最長線の長さが長さＬとされ、上記輪郭のインサイド端を通過し上記最長線と平行である直線がインサイド基準線とされ、上記輪郭のアウトサイド端を通過し上記最長線と平行である直線がアウトサイド基準線とされ、上記インサイド基準線とアウトサイド基準線との距離が幅Ｗとされ、上記インサイド基準線からの距離が０．２０Ｗであり最長線と平行な直線が第一区画線とされ、上記インサイド基準線からの距離が０．４０Ｗであり最長線と平行な直線が第二区画線とされ、上記インサイド基準線からの距離が０．５０Ｗであり最長線と平行な直線が第三区画線とされ、上記インサイド基準線からの距離が０．７０Ｗであり最長線と平行な直線が第四区画線とされ、上記最長線の爪先側端からの距離が０．１０Ｌである最長線上の点を通過し上記最長線と直交する直線が第五区画線とされ、上記最長線の爪先側端からの距離が０．４０Ｌである最長線上の点を通過し上記最長線と直交する直線が第六区画線とされたとき、インサイド基準線と第二区画線と第五区画線と第六区画線とに囲まれているのがインサイドゾーンであり、第一区画線と第四区画線と第五区画線と第六区画線とに囲まれているのがセンターゾーンであり、第三区画線とアウトサイド基準線と第五区画線と第六区画線とに囲まれているのがアウトサイドゾーンである。）
【請求項２】
比（Ｐｉ／Ｐｃ）が１．２以上４．０以下である請求項１に記載のゴルフ靴。
【請求項３】
比（Ｐｃ／Ｐｏ）が１．０以上３．０以下である請求項１又は２に記載のゴルフ靴。
【発明の詳細な説明】
【技術分野】
【０００１】
本発明は、ゴルフ靴に関する。詳細には、本発明は、ゴルフ靴のアウトソールの改良に関する。
【背景技術】
【０００２】
ゴルファーがゴルフボールを打撃するとき、左右の爪先を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを前方へ、次いで上方へと振り抜き（フォロースルー）、フィニッシュを迎える。
【０００３】
トップ位置からフィニッシュにかけて、ゴルファーの両足には大きな力がかかる。この力によって、ゴルフ靴が地面とスリップを起こすことがある。スリップが起こると、スイングフォームが乱れてミスショットが発生する。特に、トップ位置からインパクトにかけて、スリップが生じやすい。
【０００４】
底面に金属又はセラミクスからなるスパイクピンを備えたゴルフ靴が存在する。スパイクピンは、スリップを防止する。しかし、このゴルフ靴では、スパイクピンがグリーン上の芝生、クラブハウスの床、ゴルフコース中に設けられた歩行用通路の路面等を傷める。スパイクピンを備えたゴルフ靴の使用を禁止しているゴルフ場が多い。スパイクピンを備えたゴルフ靴では下からの突き上げ感があり、ゴルファーにとって履き心地のよいものではない。スパイクピンを備えたゴルフ靴は、近年ではあまり用いられていない。
【０００５】
スパイクピンに代えてゴムや合成樹脂からなる突起が底面に設けられたゴルフ靴が、普及している。このゴルフ靴では、芝生等が傷つけられることが少ない。このゴルフ靴は、履き心地に優れる。しかしこのゴルフ靴では、スパイクピンを有するゴルフ靴に比べ、防滑性能が十分ではない。
【０００６】
右利きのゴルファーは、トップ位置からフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。ゴルフスイングにおける力の方向が考慮されたゴルフシューズが、特開２００１−２９９４０６公報に開示されている。
【先行技術文献】
【特許文献】
【０００７】
【特許文献１】特開２００１−２９９４０６公報
【発明の概要】
【発明が解決しようとする課題】
【０００８】
特開２００１−２９９４０６公報に開示されたゴルフシューズでは、水平方向の力が考慮されて、突起のパターンが決定されている。このシューズでは、鉛直方向の力は考慮されていない。このシューズの防滑性能は、十分ではない。
【０００９】
本発明の目的は、防滑性能に優れたゴルフ靴の提供にある。
【課題を解決するための手段】
【００１０】
本発明に係るゴルフ靴は、アウトソールを備える。このアウトソールは、ベースと、このベースから突出し接地面を含む多数の突起とを有する。このアウトソールは、下記数式を満たす。
Ｐｉ ＞ Ｐｃ ≧ Ｐｏ
この数式において、Ｐｉはインサイドゾーンにおける接地面の占有率であり、Ｐｃはセンターゾーンにおける接地面の占有率であり、Ｐｏはアウトサイドゾーンにおける接地面の占有率である。本発明では、アウトソールの底面の輪郭に画かれうる最長線の長さは、長さＬとされる。この輪郭のインサイド端を通過し上記最長線と平行である直線は、インサイド基準線である。この輪郭のアウトサイド端を通過し上記最長線と平行である直線は、アウトサイド基準線である。インサイド基準線とアウトサイド基準線との距離は、幅Ｗである。インサイド基準線からの距離が０．２０Ｗであり最長線と平行な直線は、第一区画線である。インサイド基準線からの距離が０．４０Ｗであり最長線と平行な直線は、第二区画線である。インサイド基準線からの距離が０．５０Ｗであり最長線と平行な直線は、第三区画線である。インサイド基準線からの距離が０．７０Ｗであり最長線と平行な直線は、第四区画線である。最長線の爪先側端からの距離が０．１０Ｌである最長線上の点を通過し、この最長線と直交する直線は、第五区画線である。最長線の爪先側端からの距離が０．４０Ｌである最長線上の点を通過し、この上記最長線と直交する直線は、第六区画線である。インサイドゾーンは、インサイド基準線と第二区画線と第五区画線と第六区画線とに囲まれている。センターゾーンは、第一区画線と第四区画線と第五区画線と第六区画線とに囲まれている。アウトサイドゾーンは、第三区画線とアウトサイド基準線と第五区画線と第六区画線とに囲まれている。
【００１１】
好ましくは、比（比Ｐｉ／Ｐｃ）は１．２以上４．０以下である。好ましくは、比（Ｐｃ／Ｐｏ）は１．０以上３．０以下である。
【発明の効果】
【００１２】
本発明に係るゴルフ靴では、比率Ｐｉ、Ｐｃ及びＰｏが適正である。このゴルフ靴は、防滑性能に優れる。
【図面の簡単な説明】
【００１３】
【図１】図１は、試験のための左足用靴の、トップ位置における状態が示された底面図である。
【図２】図２は、図１の左足用靴の、ダウンスイングにおける状態が示された底面図である。
【図３】図３は、図１の左足用靴の、インパクトにおける状態が示された底面図である。
【図４】図４は、試験のための右足用靴の、トップ位置における状態が示された底面図である。
【図５】図５は、図４の右足用靴の、ダウンスイングにおける状態が示された底面図である。
【図６】図６は、図４の右足用靴の、インパクトにおける状態が示された底面図である。
【図７】図７は、試験結果が示されたグラフである。
【図８】図８は、本発明の一実施形態に係るゴルフシューズの軸足用靴が示された一部切欠断面図である。
【図９】図９は、図８の軸足用靴のアウトソールが示された底面図である。
【図１０】図１０は、蹴足用靴のアウトソールが示された底面図である。
【図１１】図１１は、本発明の他の実施形態に係るゴルフ靴の左足用靴のアウトソールが示された底面図である。
【発明を実施するための形態】
【００１４】
以下、適宜図面が参照されつつ、好ましい実施形態に基づいて本発明が詳細に説明される。
【００１５】
本発明者は、透明な台の上でゴルファーにスイングさせて、アウトソールを観察した。本発明者は、トップ位置、ダウンスイング及びインパクトのそれぞれにおいて、大きな圧力で接地するゾーンを把握した。さらに本発明者は、アウトソールにかかる力の鉛直方向成分を測定した。この測定には、三次元床反力計が用いられた。接地するゾーンと力とを測定する装置を、本発明者は、特願２００９−１４７７００において提案した。
【００１６】
図１には、試験のための左足用靴２の底面が示されている。この左足用靴２は、多数の突起４を備えている。これらの突起４は、偏りなく配置されている。図１において黒く塗りつぶされている突起４は、所定値以上の圧力で透明な台と接している突起４である。塗りつぶされていない突起４は、台と接していないか、所定値未満の圧力で台と接している突起４である。
【００１７】
試験においてこの左足用靴２は、右利きゴルファーに着用される。換言すれば、この左足用靴２は、軸足に着用される。図１には、トップ位置における左足用靴２の観察の結果が示されている。図１から明らかなように、トップ位置における軸足では、インサイドゾーンに主として力がかかる。
【００１８】
図２には、左足用靴２のダウンスイングにおける状態が示されている。図２から明らかなように、ダウンスイングにおける軸足では、インサイドゾーン及びセンターゾーンに主として力がかかる。
【００１９】
図３には、左足用靴２のインパクトにおける状態が示されている。図３から明らかなように、インパクトにおける軸足では、センターゾーン及びアウトサイドゾーンに主として力がかかる。
【００２０】
図４には、試験のための右足用靴６の底面が示されている。試験においてこの右足用靴６は、右利きゴルファーに着用される。換言すれば、この右足用靴６は、蹴足に着用される。図４には、トップ位置における右足用靴６の観察の結果が示されている。図４から明らかなように、トップ位置における蹴足では、センターゾーン及びアウトサイドゾーンに主として力がかかる。
【００２１】
図５には、右足用靴６のダウンスイングにおける状態が示されている。図５から明らかなように、ダウンスイングにおける蹴足では、センターゾーンに主として力がかかる。
【００２２】
図６には、右足用靴６のインパクトにおける状態が示されている。図６から明らかなように、インパクトにおける蹴足では、インサイドゾーンに主として力がかかる。
【００２３】
トップ位置からインパクトの間、軸足にかかる力の位置は、インサイドゾーンからセンターゾーンを経てアウトサイドゾーンへと移行する。トップ位置からインパクトの間、蹴足にかかる力の位置は、アウトサイドゾーンからセンターゾーンを経てインサイドゾーンへと移行する。
【００２４】
三次元床半力計によって測定された鉛直方向の力が、この力がかかる突起４の数で除された結果が、図７のグラフに示されている。軸足では、トップ位置において突起４に大きな力がかかる。換言すれば、軸足では、インサイドゾーンにある突起４に大きな力がかかる。蹴足では、インパクトにおいて突起４に大きな力がかかる。換言すれば、蹴足では、インサイドゾーンにある突起４に大きな力がかかる。軸足及び蹴足において、インサイドゾーンにかかる力は大きい。このような知見に基づき、本発明者は、アウトソールの突起４のパターンについて検討し、本発明を想到した。
【００２５】
本発明の一実施形態に係るゴルフシューズは、軸足用靴１０及び蹴足用靴１２からなる。図８及び９には、軸足用靴１０が示されている。この軸足用靴１０は、右利きゴルファーに着用される。左利きゴルファーのための軸足用靴は、図９に示された軸足用靴１０の形状が反転した形状を有する。
【００２６】
軸足用靴１０は、アッパー１４とソール１６とを備えている。ソール１６は、インソール１８、ミッドソール２０及びアウトソール２２からなる。図８及び９において、符号Ｘで示されているのは幅方向であり、符号Ｙで示されているのは長さ方向であり、符号Ｚで示されているのは鉛直方向である。
【００２７】
アッパー１４には、既知の材料が用いられる。天然皮革、合成皮革、人工皮革、織布等が、アッパー１４に用いられうる。アッパー１４の内面に、内材が貼り付けられてもよい。典型的な内材は、織布である。内材として、透湿防水材料が用いられてもよい。典型的な透湿防水材料は、ゴアテックス（登録商標）からなるブーティである。
【００２８】
インソール１８は、ミッドソール２０と積層されている。インソール１８は、織布又は発泡合成樹脂からなる。インソール１８は、足と接触する。このインソール１８は、軸足用靴１０を履く動作において、足の滑りに寄与する。インソール１８はさらに、履き心地に寄与する。インソール１８が設けられなくてもよい。
【００２９】
ミッドソール２０は、発泡体からなる。好ましくは、ミッドソール２０は、多数の独立気泡を含む。着地時に、ミッドソール２０は圧縮変形を起こす。この圧縮変形により、衝撃が吸収される。ミッドソール２０における好ましい基材ポリマーは、エチレン−酢酸ビニル共重合体（ＥＶＡ）である。衝撃吸収性の観点から、ミッドソール２０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００３０】
アウトソール２２は、ミッドソール２０の下側に位置している。アウトソール２２は、ミッドソール２０と接合されている。接合は、接着剤によって達成されうる。アウトソール２２は、架橋ゴムからなる。好ましい基材ゴムとしては、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）及びウレタンゴムが例示される。アウトソール２２に、合成樹脂又はエラストマーが用いられてもよい。アウトソール２２は、気泡を含まない。耐摩耗性の観点から、アウトソール２２の硬度は７０以上が好ましく、７５以上が特に好ましい。足の変形への追従性の観点から、硬度は８５以下が好ましく、８０以下が特に好ましい。硬度は、「ＪＩＳ  Ｋ  ６２５３」の規定に準拠して、タイプＡのデュロメーターにて測定される。
【００３１】
図９には、アウトソール２２の底面が示されている。このアウトソール２２は、ベース２４（図８参照）と多数の突起２６とを備えている。それぞれの突起２６は、ベース２４から突出している。突起２６は、接地面（後に詳説）を有している。この突起２６は、軸足用靴１０の防滑性能に寄与する。防滑性能の観点から、突起２６の高さは２ｍｍ以上が好ましく、４ｍｍ以上が特に好ましい。突起２６の剛性の観点から、突起２６の高さは１５ｍｍ以下が好ましく、１０ｍｍ以下が特に好ましい。防滑性能の観点から、突起２６とこれに隣接する他の突起２６との間のベース２４の幅は、２ｍｍ以上が好ましい。
【００３２】
図９において符号ＭＬで示されているのは、最長線である。最長線ＭＬは、アウトソール２２の底面の輪郭内に画かれうる線分の中で最も長い線分である。最長線ＭＬの長さは、符号Ｌで示されている。符号Ｐｔで示されているのは最長線ＭＬの爪先側端であり、符号Ｐｈで示されているのは最長線ＭＬの踵側端である。最長線ＭＬは、長さ方向Ｙに沿っている。
【００３３】
図９には、インサイド基準線Ｓｉ及びアウトサイド基準線Ｓｏが示されている。インサイド基準線Ｓｉは、輪郭のインサイド端Ｐｉを通過する。インサイド基準線Ｓｉは、最長線ＭＬと平行である。アウトサイド基準線Ｓｏは、輪郭のアウトサイド端Ｐｏを通過する。アウトサイド基準線Ｓｏは、最長線ＭＬと平行である。インサイド基準線Ｓｉとアウトサイド基準線Ｓｏとの距離は、靴幅Ｗと称される。
【００３４】
図９には、第一区画線Ｓ１、第二区画線Ｓ２、第三区画線Ｓ３及び第四区画線Ｓ５が示されている。これらの区画線Ｓ１、Ｓ２、Ｓ３及びＳ４は、それぞれ、最長線ＭＬと平行である。インサイド基準線Ｓｉから第一区画線Ｓ１までの距離は、０．２０Ｗである。インサイド基準線Ｓｉから第二区画線Ｓ２までの距離は、０．４０Ｗである。インサイド基準線Ｓｉから第三区画線Ｓ３までの距離は、０．５０Ｗである。インサイド基準線Ｓｉから第四区画線Ｓ４までの距離は、０．７０Ｗである。
【００３５】
図９には、第五区画線Ｓ５及び第六区画線Ｓ６が示されている。第五区画線Ｓ５は、点Ｐ５において最長線ＭＬと直交している。最長線ＭＬの爪先側端Ｐｔから点Ｐ５までの距離は、０．１０Ｌである。第六区画線Ｓ６は、点Ｐ６において最長線ＭＬと直交している。最長線ＭＬの爪先側端Ｐｔから点Ｐ６までの距離は、０．４０Ｌである。
【００３６】
図９には、インサイドゾーンＺｉ、センターゾーンＺｃ及びアウトサイドゾーンＺｏが示されている。インサイドゾーンＺｉは、インサイド基準線Ｓｉ、第二区画線Ｓ２、第五区画線Ｓ５及び第六区画線Ｓ６に囲まれている。センターゾーンＺｃは、第一区画線Ｓ１、第四区画線Ｓ４、第五区画線Ｓ５及び第六区画線Ｓ６に囲まれている。アウトサイドゾーンＺｏは、第三区画線Ｓ３、アウトサイド基準線Ｓｏ、第五区画線Ｓ５及び第六区画線Ｓ６に囲まれている。インサイドゾーンＺｉとセンターゾーンＺｃとは、部分的に重複している。センターゾーンＺｃとアウトサイドゾーンＺｏとは、部分的に重複している。図９から明らかなように、多数の突起２６が、偏って配置されている。インサイドゾーンＺｉでは、突起２６が密に配置されている。
【００３７】
本発明において占有率Ｐは、下記数式（Ｉ）によって算出される。
Ｐ＝（Ａ１／Ａ２）・１００    （Ｉ）
この数式（Ｉ）において、Ａ１は当該ゾーンに含まれる全ての接地面の面積の合計であり、Ａ２は当該ゾーンの面積である。Ａ１及びＡ２は、図９に示された底面視において測定される。
【００３８】
Ａ１は、下記数式によって算出される。
Ａ１＝Ａ１（１）＋Ａ１（２）＋Ａ１（３）＋・・・＋Ａ１（ｎ）    （II）
この数式（II）において、Ａ１（ｍ）は当該ゾーンに含まれるナンバーｍの接地面の面積であり、ｎは当該ゾーンに含まれる接地面の個数である。突起２６が部分的に当該ゾーンに含まれる場合、接地面の内で当該ゾーンに含まれる部分の面積が、面積Ａ１に算入される。
【００３９】
面積Ａ１の測定では、体重が７０ｋｇであるヒトが、軸足用靴１０及び蹴足用靴１２を着用する。ヒトは、硬質な床の上に直立して静止する。ヒトはさらに、この床の上を歩行する。この床には、未硬化の塗料が塗られている。歩行時の歩幅は８０ｃｍであり、速度は６０ｍ／ｍｉｎである。歩行距離は５ｍである。直立及び歩行により、アウトソール２２の底面の一部に、塗料が付着する。塗料が付着した部分は、接地面である。
【００４０】
このアウトソール２２は、下記数式を満たす。
Ｐｉ ＞ Ｐｃ ≧ Ｐｏ
この数式において、ＰｉはインサイドゾーンＺｉにおける接地面の占有率であり、ＰｃはセンターゾーンＺｃにおける接地面の占有率であり、ＰｏはアウトサイドゾーンＺｏにおける接地面の占有率である。このアウトソール２２では、インサイドゾーンＺｉにおける占有率Ｐｉは、センターゾーンＺｃにおける占有率Ｐｃよりも大きい。センターゾーンＺｃにおける占有率Ｐｃは、アウトサイドゾーンＺｏにおける占有率Ｐｏと同じか、又は大きい。
【００４１】
図１から明らかなとおり、軸足用靴１０では、トップ位置においてインサイドゾーンＺｉに力がかかる。図７から明らかなとおり、この力は大きい。インサイドゾーンＺｉにおける占有率Ｐｉは大きいが、トップ位置での力が大ききので、それぞれの突起２６にかかる圧力は十分大きい。従って、インサイドゾーンＺｉにある突起２６は、トップ位置において地面（すなわち芝生）に十分に突き刺さる。インサイドゾーンＺｉには多数の突起２６が存在しているので、トップ位置で多数の突起２６が地面に突き刺さる。この突き刺さりにより、トップ位置での軸足用靴１０のスリップが抑制される。この軸足用靴１０は、防滑性能に優れる。
【００４２】
図２から明らかなとおり、軸足用靴１０では、ダウンスイングにおいて、センターゾーンＺｃに力がかかる。図７から明らかなとおり、この力は小さい。しかし、センターゾーンＺｃにおける占有率Ｐｃが小さいので、それぞれの突起２６にかかる圧力は十分大きい。従って、センターゾーンＺｃにある突起２６は、ダウンスイングにおいて地面に十分に突き刺さる。この突き刺さりにより、ダウンスイングでの軸足用靴１０のスリップが抑制される。この軸足用靴１０は、防滑性能に優れる。
【００４３】
図３から明らかなとおり、軸足用靴１０では、インパクトにおいてアウトサイドゾーンＺｏに力がかかる。図７から明らかなとおり、この力は小さい。しかし、アウトサイドゾーンＺｏにおける占有率Ｐｏが小さいので、それぞれの突起２６にかかる圧力は十分大きい。従って、アウトサイドゾーンＺｏにある突起２６は、インパクトにおいて地面に十分に突き刺さる。この突き刺さりにより、インパクトでの軸足用靴１０のスリップが抑制される。この軸足用靴１０は、防滑性能に優れる。
【００４４】
インサイドゾーンＺｉには大きな力がかかるが、このインサイドゾーンＺｉの接地面の面積が大きいので、アウトソール２２の極端な傾きが阻止される。この軸足用靴１０は、スイングの安定に寄与しうる。
【００４５】
占有率Ｐｉと占有率Ｐｃとの比（Ｐｉ／Ｐｃ）は、１．２以上４．０以下が好ましい。比（Ｐｉ／Ｐｃ）が上記範囲内である軸足用靴１０は、トップ位置及びダウンスイングでの防滑性能に優れる。防滑性能の観点から、比（Ｐｉ／Ｐｃ）は１．５以上がより好ましく、２．０以上が特に好ましい。防滑性能の観点から、比（Ｐｉ／Ｐｃ）は３．５以下がより好ましく、３．３以下が特に好ましい。
【００４６】
占有率Ｐｃと占有率Ｐｏとの比（Ｐｃ／Ｐｏ）は、１．０以上３．０以下が好ましい。比（Ｐｃ／Ｐｏ）が上記範囲内である軸足用靴１０は、ダウンスイング及びインパクトでの防滑性能に優れる。防滑性能の観点から、比（Ｐｃ／Ｐｏ）は１．２以上がより好ましく、１．４以上が特に好ましい。防滑性能の観点から、比（Ｐｃ／Ｐｏ）は２．６以下がより好ましく、２．２以下が特に好ましい。
【００４７】
トップ位置での防滑性能の観点から、占有率Ｐｉは２０％以上８０％以下が好ましい。ダウンスイングでの防滑性能の観点から、占有率Ｐｃは１０％以上７０％以下が好ましい。インパクトでの防滑性能の観点から、占有率Ｐｏは５％以上６０％以下が好ましい。
【００４８】
図１０には、蹴足用靴１２のアウトソール２８の底面が示されている。このアウトソール２８の材質は、図９に示されたアウトソール２２の材質と同等である。図示されていないが、蹴足用靴１２はアッパー、インソール及びミッドソールを備えている。アッパー、インソール及びミッドソールの材質は、それぞれ、図８に示された軸足用靴のアッパー１４、インソール１８及びミッドソール２０の材質と同等である。この蹴足用靴１２は、右利きゴルファーに着用される。左利きゴルファーのための蹴足用靴は、図１０に示された蹴足用靴１２の形状が反転した形状を有する。
【００４９】
このアウトソール２８は、ベースと多数の突起３０とを備えている。それぞれの突起３０は、ベースから突出している。突起３０は、接地面を有している。この突起３０は、蹴足用靴１２の防滑性能に寄与する。防滑性能の観点から、突起３０の高さは２ｍｍ以上が好ましく、４ｍｍ以上が特に好ましい。突起３０の剛性の観点から、突起３０の高さは１５ｍｍ以下が好ましく、１０ｍｍ以下が特に好ましい。防滑性能の観点から、突起３０とこれに隣接する他の突起３０との間のベースの幅は、２ｍｍ以上が好ましい。
【００５０】
図１０には、図９と同様に、最長線ＭＬ、インサイド基準線Ｓｉ、アウトサイド基準線Ｓｏ、第一区画線Ｓ１、第二区画線Ｓ２、第三区画線Ｓ３、第四区画線Ｓ４，第五区画線Ｓ５及び第六区画線Ｓ６が示されている。図１０にはさらに、インサイドゾーンＺｉ、センターゾーンＺｃ及びアウトサイドゾーンＺｏが示されている。インサイドゾーンＺｉは、インサイド基準線Ｓｉ、第二区画線Ｓ２、第五区画線Ｓ５及び第六区画線Ｓ６に囲まれている。センターゾーンＺｃは、第一区画線Ｓ１、第四区画線Ｓ４、第五区画線Ｓ５及び第六区画線Ｓ６に囲まれている。アウトサイドゾーンＺｏは、第三区画線Ｓ３、アウトサイド基準線Ｓｏ、第五区画線Ｓ５及び第六区画線Ｓ６に囲まれている。インサイドゾーンＺｉとセンターゾーンＺｃとは、部分的に重複している。センターゾーンＺｃとアウトサイドゾーンＺｏとは、部分的に重複している。図９から明らかなように、多数の突起３０が、偏って配置されている。インサイドゾーンＺｉでは、突起３０が密に配置されている。
【００５１】
このアウトソール２８は、下記数式を満たす。
Ｐｉ ＞ Ｐｃ ≧ Ｐｏ
この数式において、ＰｉはインサイドゾーンＺｉにおける接地面の占有率であり、ＰｃはセンターゾーンＺｃにおける接地面の占有率であり、ＰｏはアウトサイドゾーンＺｏにおける接地面の占有率である。このアウトソール２８では、インサイドゾーンＺｉにおける占有率Ｐｉは、センターゾーンＺｃにおける占有率Ｐｃよりも大きい。センターゾーンＺｃにおける占有率Ｐｃは、アウトサイドゾーンＺｏにおける占有率Ｐｏと同じか、又は大きい。
【００５２】
図４から明らかなとおり、蹴足用靴１２では、トップ位置においてアウトサイドゾーンＺｏに力がかかる。図７から明らかなとおり、この力は小さい。しかし、アウトサイドゾーンＺｏにおける占有率Ｐｏが小さいので、それぞれの突起３０にかかる圧力は十分大きい。従って、アウトサイドゾーンＺｏにある突起３０は、トップ位置において地面に十分に突き刺さる。この突き刺さりにより、トップ位置での蹴足用靴１２のスリップが抑制される。この蹴足用靴１２は、防滑性能に優れる。
【００５３】
図５から明らかなとおり、蹴足用靴１２では、ダウンスイングにおいて、センターゾーンＺｃに力がかかる。図７から明らかなとおり、この力は小さい。しかし、センターゾーンＺｃにおける占有率Ｐｃが小さいので、それぞれの突起３０にかかる圧力は十分大きい。従って、センターゾーンＺｃにある突起３０は、ダウンスイングにおいて地面に十分に突き刺さる。この突き刺さりにより、ダウンスイングでの蹴足用靴１２のスリップが抑制される。この蹴足用靴１２は、防滑性能に優れる。
【００５４】
図６から明らかなとおり、蹴足用靴１２では、インパクトにおいてインサイドゾーンＺｉに力がかかる。図７から明らかなとおり、この力は大きい。インサイドゾーンＺｉにおける占有率Ｐｉは大きいが、インパクトでの力が大ききので、それぞれの突起３０にかかる圧力は十分大きい。従って、インサイドゾーンＺｉにある突起３０は、インパクトにおいて地面に十分に突き刺さる。インサイドゾーンＺｉには多数の突起３０が存在しているので、インパクトで多数の突起３０が地面に突き刺さる。この突き刺さりにより、インパクトでの蹴足用靴１２のスリップが抑制される。この蹴足用靴１２は、防滑性能に優れる。
【００５５】
インサイドゾーンＺｉには大きな力がかかるが、このインサイドゾーンＺｉの接地面の面積が大きいので、アウトソール２８の極端な傾きが阻止される。この蹴足用靴１２は、スイングの安定に寄与しうる。
【００５６】
占有率Ｐｉと占有率Ｐｃとの比（Ｐｉ／Ｐｃ）は、１．２以上４．０以下が好ましい。比（Ｐｉ／Ｐｃ）が上記範囲内である蹴足用靴１２は、ダウンスイング及びインパクトでの防滑性能に優れる。防滑性能の観点から、比（Ｐｉ／Ｐｃ）は１．５以上がより好ましく、２．０以上が特に好ましい。防滑性能の観点から、比（Ｐｉ／Ｐｃ）は３．５以下がより好ましく、３．３以下が特に好ましい。
【００５７】
占有率Ｐｃと占有率Ｐｏとの比（Ｐｃ／Ｐｏ）は、１．０以上３．０以下が好ましい。比（Ｐｃ／Ｐｏ）が上記範囲内である蹴足用靴１２は、トップ位置及びダウンスイングでの防滑性能に優れる。防滑性能の観点から、比（Ｐｃ／Ｐｏ）は１．２以上がより好ましく、１．４以上が特に好ましい。防滑性能の観点から、比（Ｐｃ／Ｐｏ）は２．６以下がより好ましく、２．２以下が特に好ましい。
【００５８】
インパクトでの防滑性能の観点から、占有率Ｐｉは２０％以上８０％以下が好ましい。ダウンスイングでの防滑性能の観点から、占有率Ｐｃは１０％以上７０％以下が好ましい。トップ位置での防滑性能の観点から、占有率Ｐｏは５％以上６０％以下が好ましい。
【００５９】
図１１は、本発明の他の実施形態に係るゴルフ靴の左足用靴３２のアウトソール３４が示された底面図である。このアウトソール３４の材質は、図９に示されたアウトソール２２の材質と同等である。図示されていないが、この左足用靴３２はアッパー、インソール及びミッドソールを備えている。アッパー、インソール及びミッドソールの材質は、それぞれ、図８に示された軸足用靴のアッパー１４、インソール１８及びミッドソール２０の材質と同等である。
【００６０】
このアウトソール３４は、ベースと多数の突起３６とを備えている。それぞれの突起３６は、ベースから突出している。突起３６は、接地面を有している。この突起３６は、左足用靴３２の防滑性能に寄与する。防滑性能の観点から、突起３６の高さは２ｍｍ以上が好ましく、４ｍｍ以上が特に好ましい。突起３６の剛性の観点から、突起３６の高さは１５ｍｍ以下が好ましく、１０ｍｍ以下が特に好ましい。防滑性能の観点から、突起３６とこれに隣接する他の突起３６の間のベースの幅は、２ｍｍ以上が好ましい。
【００６１】
図１１には、図９と同様に、最長線ＭＬ、インサイド基準線Ｓｉ、アウトサイド基準線Ｓｏ、第一区画線Ｓ１、第二区画線Ｓ２、第三区画線Ｓ３、第四区画線Ｓ４，第五区画線Ｓ５及び第六区画線Ｓ６が示されている。図１１にはさらに、インサイドゾーンＺｉ、センターゾーンＺｃ及びアウトサイドゾーンＺｏが示されている。インサイドゾーンＺｉは、インサイド基準線Ｓｉ、第二区画線Ｓ２、第五区画線Ｓ５及び第六区画線Ｓ６に囲まれている。センターゾーンＺｃは、第一区画線Ｓ１、第四区画線Ｓ４、第五区画線Ｓ５及び第六区画線Ｓ６に囲まれている。アウトサイドゾーンＺｏは、第三区画線Ｓ３、アウトサイド基準線Ｓｏ、第五区画線Ｓ５及び第六区画線Ｓ６に囲まれている。インサイドゾーンＺｉとセンターゾーンＺｃとは、部分的に重複している。センターゾーンＺｃとアウトサイドゾーンＺｏとは、部分的に重複している。図１１から明らかなように、多数の突起３６が、偏って配置されている。インサイドゾーンＺｉでは、突起３６が密に配置されている。
【００６２】
この左足用靴３２が右利きゴルファーに着用された場合、この左足用靴３２は軸足用靴である。この左足用靴３２が左利きゴルファーに着用された場合、この左足用靴３２は蹴足用靴である。図示されていないが、右足用靴は、左足用靴３２の形状が反転した形状を有する。この右足用靴が右利きゴルファーに着用された場合、この右足用靴は蹴足用靴である。この右足用靴が左利きゴルファーに着用された場合、この右足用靴は軸足用靴である。
【００６３】
このアウトソール３４は、下記数式を満たす。
Ｐｉ ＞ Ｐｃ ≧ Ｐｏ
この数式において、ＰｉはインサイドゾーンＺｉにおける接地面の占有率であり、ＰｃはセンターゾーンＺｃにおける接地面の占有率であり、ＰｏはアウトサイドゾーンＺｏにおける接地面の占有率である。このアウトソール３４では、インサイドゾーンＺｉにおける占有率Ｐｉは、センターゾーンＺｃにおける占有率Ｐｃよりも大きい。センターゾーンＺｃにおける占有率Ｐｃは、アウトサイドゾーンＺｏにおける占有率Ｐｏと同じか、又は大きい。
【００６４】
この左足用靴３２が右利きゴルファーに着用されたとき、トップ位置においてインサイドゾーンＺｉに力がかかる。この力は大きい。インサイドゾーンＺｉにおける占有率Ｐｉは大きいが、トップ位置での力が大ききので、それぞれの突起３６にかかる圧力は十分大きい。従って、インサイドゾーンＺｉにある突起３６は、トップ位置において地面に十分に突き刺さる。インサイドゾーンＺｉには多数の突起３６が存在しているので、トップ位置で多数の突起３６が地面に突き刺さる。この突き刺さりにより、トップ位置での軸足のスリップが抑制される。この左足用靴３２は、防滑性能に優れる。
【００６５】
この左足用靴３２が左利きゴルファーに着用されたとき、インパクトにおいてインサイドゾーンＺｉに力がかかる。この力は大きい。インサイドゾーンＺｉにおける占有率Ｐｉは大きいが、インパクトでの力が大ききので、それぞれの突起３６にかかる圧力は十分大きい。従って、インサイドゾーンＺｉにある突起３６は、インパクトにおいて地面に十分に突き刺さる。インサイドゾーンＺｉには多数の突起３６が存在しているので、インパクトで多数の突起３６が地面に突き刺さる。この突き刺さりにより、インパクトでの蹴足のスリップが抑制される。この左足用靴３２は、防滑性能に優れる。
【００６６】
この左足用靴３２が右利きゴルファーに着用されたとき、ダウンスイングにおいて、センターゾーンＺｃに力がかかる。この力は小さい。しかし、センターゾーンＺｃにおける占有率Ｐｃが小さいので、それぞれの突起３６にかかる圧力は十分大きい。従って、センターゾーンＺｃにある突起３６は、ダウンスイングにおいて地面に十分に突き刺さる。この突き刺さりにより、ダウンスイングでの軸足のスリップが抑制される。この左足用靴３２は、防滑性能に優れる。
【００６７】
この左足用靴３２が左利きゴルファーに着用されたとき、ダウンスイングにおいて、センターゾーンＺｃに力がかかる。この力は小さい。しかし、センターゾーンＺｃにおける占有率Ｐｃが小さいので、それぞれの突起３６にかかる圧力は十分大きい。従って、センターゾーンＺｃにある突起３６は、ダウンスイングにおいて地面に十分に突き刺さる。この突き刺さりにより、ダウンスイングでの蹴足のスリップが抑制される。この左足用靴３２は、防滑性能に優れる。
【００６８】
この左足用靴３２が右利きゴルファーに着用されたとき、インパクトにおいてアウトサイドゾーンＺｏに力がかかる。この力は小さい。しかし、アウトサイドゾーンＺｏにおける占有率Ｐｏが小さいので、それぞれの突起３６にかかる圧力は十分大きい。従って、アウトサイドゾーンＺｏにある突起３６は、インパクトにおいて地面に十分に突き刺さる。この突き刺さりにより、インパクトでの軸足のスリップが抑制される。この左足用靴３２は、防滑性能に優れる。
【００６９】
この左足用靴３２が左利きゴルファーに着用されたとき、トップ位置においてアウトサイドゾーンＺｏに力がかかる。この力は小さい。しかし、アウトサイドゾーンＺｏにおける占有率Ｐｏが小さいので、それぞれの突起３６にかかる圧力は十分大きい。従って、アウトサイドゾーンＺｏにある突起３６は、トップ位置において地面に十分に突き刺さる。この突き刺さりにより、トップ位置での蹴足のスリップが抑制される。この左足用靴３２は、防滑性能に優れる。
【００７０】
インサイドゾーンＺｉには大きな力がかかるが、このインサイドゾーンＺｉの接地面の面積が大きいので、アウトソール３４の極端な傾きが阻止される。この軸足用靴は、スイングの安定に寄与しうる。
【００７１】
防滑性能の観点から、占有率Ｐｉと占有率Ｐｃとの比（Ｐｉ／Ｐｃ）は、１．２以上４．０以下が好ましい。比（Ｐｉ／Ｐｃ）は１．５以上がより好ましく、２．０以上が特に好ましい。比（Ｐｉ／Ｐｃ）は３．５以下がより好ましく、３．３以下が特に好ましい。
【００７２】
防滑性能の観点から、占有率Ｐｃと占有率Ｐｏとの比（Ｐｃ／Ｐｏ）は、１．０以上３．０以下が好ましい。比（Ｐｃ／Ｐｏ）は１．２以上がより好ましく、１．４以上が特に好ましい。比（Ｐｃ／Ｐｏ）は２．６以下がより好ましく、２．２以下が特に好ましい。
【００７３】
占有率Ｐｉは、２０％以上８０％以下が好ましい。占有率Ｐｃは、１０％以上７０％以下が好ましい。占有率Ｐｏは、５％以上６０％以下が好ましい。
【００７４】
前述の通り、右足用靴は、左足用靴３２の形状が反転した形状を有する。従って、この右足用靴が右利きゴルファーに着用されたとき、トップ位置、ダウンスイング及びインパクトにおいて、蹴足のスリップが抑制される。この右足用靴が左利きゴルファーに着用されたとき、トップ位置、ダウンスイング及びインパクトにおいて、軸足のスリップが抑制される。
【実施例】
【００７５】
以下、実施例によって本発明の効果が明らかにされるが、この実施例の記載に基づいて本発明が限定的に解釈されるべきではない。
【００７６】
［実施例１］
ポリブタジエンが基材であるゴム組成物をモールドに投入し、加圧しかつ加熱して、アウトソールを得た。このアウトソールに、アッパー、ミッドソール及びインソールをアッセンブリーして、ゴルフシューズを製造した。このゴルフシューズでは、軸足用靴のアウトソールは、蹴足用靴のアウトソールの形状が反転した形状を有する。占有率が、下記の表１に示されている。
【００７７】
［実施例２−５及び比較例１］
他のモールドを用い、占有率を下記の表１に示される通りとした他は実施例１と同様にして、実施例２−５及び比較例１のゴルフ靴を得た。
【００７８】
［評価］
ゴルフ靴をゴルファーに着用させ、ゴルフ場のティグラウンドで、ドライバーにてゴルフボールを打撃させた。１０名のゴルファーに、防滑性能及びスイングし易さについて、格付けさせた。この平均値が、下記の表１に示されている。この値が大きいほど好ましい。
【００７９】
【表１】
2011067370.tif 000003
【００８０】
表１に示されるように、実施例のゴルフ靴は防滑性能に優れている。この評価結果から、本発明の優位性は明らかである。
【産業上の利用可能性】
【００８１】
本発明に係るゴルフ靴は、ゴルフ場でのプレーのときに着用されうる。このゴルフ靴は、ドライビングレンジでの練習のときにも着用されうる。
【符号の説明】
【００８２】
１０・・・軸足用靴
１２・・・蹴足用靴
２２、２８、３４・・・アウトソール
２６、３０、３６・・・突起
３２・・・左足用靴
ＭＬ・・・最長線
Ｚｉ・・・インサイドゾーン
Ｚｃ・・・センターゾーン
Ｚｏ・・・アウトサイドゾーン
【図１】
2011067370.tif 000004
【図２】
2011067370.tif 000005
【図３】
2011067370.tif 000006
【図４】
2011067370.tif 000007
【図５】
2011067370.tif 000008
【図６】
2011067370.tif 000009
【図７】
2011067370.tif 000010
【図８】
2011067370.tif 000011
【図９】
2011067370.tif 000012
【図１０】
2011067370.tif 000013
【図１１】
2011067370.tif 000014